(57)【特許請求の範囲】
【請求項１】
グローブ本体と、前記グローブ本体の手の甲部に設けられた弾性支持バーと、を含み、
前記グローブ本体は、指が挿入される指挿入部と、手の甲を覆う前記手の甲部、及び掌を覆う掌部を含むカバー本体と、を含み、
前記カバー本体の一端に、ユーザの手首を覆う手首部が設けられ、
前記グローブ本体に、スイングの動作の際にユーザの手首及び手の甲を支持することにより、手首が捻られることを防止する接続型弾性固定手段が設けられ、
前記接続型弾性固定手段は、
前記手首部に設けられた固定溝と、
前記固定溝につながるように前記手の甲部に設けられた連結溝と、
前記固定溝に嵌められ、ユーザの手首の下部を支持する曲線状の固定ユニットと、
前記連結溝に嵌められ、一端が前記固定ユニットに固定される弾性接続パネルと、
前記弾性接続パネルの他端に固定され、前記連結溝に嵌められることによりユーザの手の甲を支持する手の甲支持パネルと、
前記固定ユニットと前記手の甲支持パネルとを接続し、所定の間隔を保つように形成された複数の弾性引張コイルバネと、を含む、手首捻り防止構造を有するゴルフグローブ。
【請求項２】
前記手の甲部は、スイングの動作の際に手首が捻られることを防止するため、手の甲を押圧するように弾性を持つ合成繊維シートからなることを特徴とする、請求項１に記載の手首捻り防止構造を有するゴルフグローブ。
【請求項３】
前記手の甲部の内側面に、装着シートの縁部が付着・固定されることにより、該装着シートの一側に、前記弾性支持バーの引き込まれる入口が設けられることを特徴とする、請求項１に記載の手首捻り防止構造を有するゴルフグローブ。
【請求項４】
前記弾性支持バーは、複数の弾性支持バーが所定の間隔を置いて前記手の甲部に配置されることを特徴とする、請求項１に記載の手首捻り防止構造を有するゴルフグローブ。
【請求項５】
前記接続型弾性固定手段は、
前記固定ユニット、前記弾性接続パネル、及び前記手の甲支持パネルの一面に設けられた弾性緩衝パネルと、
前記固定溝及び前記連結溝を覆うように付着された固定カバーと、を更に含む、請求項１に記載の手首捻り防止構造を有するゴルフグローブ。
【発明の詳細な説明】
【技術分野】
【０００１】
本発明は、手首捻り防止構造を有するゴルフグローブに関するものであって、具体的には、弾性により手の甲や手首を堅く支持することで、スイングにおいてコッキング又はインパクトを加える際に、手の甲が外側へ過度に捻られず、一定の角度を以て均一で安定的なコッキングや、インパクト時に飛距離や打撃精度の向上を可能にする。
【背景技術】
【０００２】
通常、ゴルファーは、スイングの動作の際に、ゴルフクラブのグリップを持った方の手にゴルフグローブをはめ、該ゴルフグローブをはめた手の指の部分を他の手で軽く覆う。ここで、スイングの動作とは、アドレス(address)から、テークバック(take-back)、ダウンスイング(down swing)、インパクト(impact)、フォロースルー(follow-through)に至るまでの一連の動作をいう。
【０００３】
このようなスイングの動作がスムーズに行われるには、安定的なグリップの持ち方や、ゴルファーの正確な動作、ゴルフクラブとの間で相対的な動きが噛み合う必要がある。例えば、スイングの動作の際に、ゴルファーの手首が手の甲の方向に捻られると、インパクト時に手首のコッキングのリリース方向への回転が妨げられる。このため、インパクト動作に続くフォロースルー動作へスムーズにつながらず、飛距離が伸びなくなる。
【０００４】
また、アドレスからフォロースルーまでの一連のスイングの動作がスムーズに行われるためには、スイングの動作の各段階に応じて、手の甲の方向に直交する方向、即ち、手刀が指す方向への手首の捻り/リリースがスムーズに行われる必要がある。この方向への手首の捻りを「コッキング」といい、手首が一定の角度を保つことが求められる。
【０００５】
ところが、通常のゴルフグローブは、前述の機能を実現させるための構成を含まないことから、スイングのコッキング動作の際に、手の甲が外側へ過度に捻られる問題を避けることができない場合がある。
【先行技術文献】
【特許文献】
【０００６】
【特許文献１】韓国登録特許第10-1397968号公報
【発明の概要】
【発明が解決しようとする課題】
【０００７】
本発明は、前述した従来の問題を解決するために工夫されたものであって、本発明の目的は、弾性により手の甲及び手首を堅く支持することで、スイングにおいてコッキングを加える際に、手の甲が外側へ過度に捻られず、一定の角度を以て均一で安定的なコッキングや、インパクト時に飛距離や打撃精度の向上を可能にする、手首捻り防止構造を有するゴルフグローブを提供することにある。
【課題を解決するための手段】
【０００８】
本発明のゴルフグローブの一実施形態は、グローブ本体と、前記グローブ本体の手の甲部に設けられた弾性支持バーと、を含み、前記グローブ本体は、指が挿入される指挿入部と、手の甲を覆う手の甲部、及び掌を覆う掌部を含むカバー本体と、からなる。
【０００９】
また、本発明のゴルフグローブの一実施形態では、前記手の甲部は、スイングの動作の際に手首が捻られることを防止するため、手の甲を押圧するように弾性を持つ合成繊維シートからなる。
【００１０】
また、本発明のゴルフグローブの一実施形態では、前記手の甲部の内側面に、装着シートの縁部が付着・固定されることにより、該装着シートの一側には、前記弾性支持バーの引き込まれる入口が設けられる。
【００１１】
また、本発明のゴルフグローブの一実施形態では、前記弾性支持バーは、複数の弾性支持バーが所定の間隔を置いて前記手の甲部に配置される。
【００１２】
また、本発明のゴルフグローブの一実施形態では、前記カバー本体の一端に、ユーザの手首を覆う手首部が更に設けられ、前記グローブ本体には、スイングの動作の際にユーザの手首及び手の甲を支持することにより、手首が捻られることを防止する接続型弾性固定手段が更に設けられ、前記接続型弾性固定手段は、前記手首部に設けられた固定溝と、前記固定溝につながるように前記手の甲部に設けられた連結溝と、前記固定溝に嵌められ、ユーザの手首の下部を支持する曲線状の固定ユニットと、前記連結溝に嵌められ、一端が前記固定ユニットに固定される弾性接続パネルと、前記弾性接続パネルの他端に固定され、前記連結溝に嵌められることによりユーザの手の甲を支持する手の甲支持パネルと、前記固定ユニットと前記手の甲支持パネルとを接続し、所定の間隔を保つように形成された複数の弾性引張コイルバネと、前記固定ユニット、前記弾性接続パネル、及び前記手の甲支持パネルの一面に設けられた弾性緩衝パネルと、前記固定溝及び前記連結溝を覆うように付着された固定カバーと、を含む。
【発明の効果】
【００１３】
本発明の手首捻り防止構造を有するゴルフグローブによると、弾性により手の甲及び手首を堅く支持することで、スイングにおいてコッキングを加える際に、手の甲が外側へ過度に捻られず、一定の角度を以て均一で安定的なコッキングを可能になる。
【００１４】
また、本発明の手首捻り防止構造を有するゴルフグローブによると、インパクトの際にパワーを乗せやすく、飛距離や打撃精度の向上を可能にする。
【図面の簡単な説明】
【００１５】
【図１】本発明の一実施形態に係る、手首捻り防止構造を有するゴルフグローブを示す正面図である。
【図２】本発明の一実施形態に係る、手首捻り防止構造を有するゴルフグローブに弾性支持バーが設けられた状態を示す正面図である。
【図３】本発明の一実施形態に係る、手首捻り防止構造を有するゴルフグローブを示す着用状態図である。
【図４】本発明の一実施形態に係る、手首捻り防止構造を有するゴルフグローブの弾性支持バーを示す斜視図である。
【図５】本発明の手首捻り防止構造を有するゴルフグローブに弾性支持バーが設けられた他の実施形態を示す図面である。
【図６】本発明の手首捻り防止構造を有するゴルフグローブの他の実施例を示す正面図である。
【図７】本発明の手首捻り防止構造を有するゴルフグローブの固定ユニット及び手の甲支持パネルを示す斜視図である。
【図８】本発明の手首捻り防止構造を有するゴルフグローブの他の実施例を示す断面図である。
【図９】本発明の手首捻り防止構造を有するゴルフグローブの他の実施例を示す部分断面図である。
【発明を実施するための形態】
【００１６】
以下では、本発明に係る、手首捻り防止構造を有するゴルフグローブの好ましい実施形態について、添付の図面を参照しつつ詳細に説明する。この際に、該図面に示された線の太さや構成要素の大きさ等については、説明の明瞭さや便宜上、実際とは必ずしも一致しない場合がある。なお、以下の説明に使われる用語は、本発明の機能・作用等を考慮して採用されたものであるが、該用語を使用するユーザ等の意図やプラクティスによっては、異なる場合にも使われ得る。従って、以下の説明に使われる用語は、本明細書等の全般に亘る内容に基づき、解釈されるものである。
【００１７】
また、以下の実施形態は、本発明の技術的範囲を限定するものではなく、単なる例示であって、本発明の属する技術分野における通常の知識を有する者には、本発明の明細書等に示された本発明の技術的思想に基づき、より多様な実施形態を具現することができる。
【００１８】
図1は、本発明の一実施形態に係る、手首捻り防止構造を有するゴルフグローブを示す正面図である。図2は、本発明の一実施形態に係る、手首捻り防止構造を有するゴルフグローブに弾性支持バーが設けられた状態を示す正面図である。図3は、本発明の一実施形態に係る、手首捻り防止構造を有するゴルフグローブを示す着用状態図である。図4は、本発明の一実施形態に係る、手首捻り防止構造を有するゴルフグローブの弾性支持バーを示す斜視図である。図5は、本発明の手首捻り防止構造を有するゴルフグローブに弾性支持バーが設けられた他の実施形態を示す図面である。図6は、本発明の手首捻り防止構造を有するゴルフグローブの他の実施例を示す正面図である。図7は、本発明の手首捻り防止構造を有するゴルフグローブの固定ユニット及び手の甲支持パネルを示す斜視図である。図8は、本発明の手首捻り防止構造を有するゴルフグローブの他の実施例を示す断面図である。図9は、本発明の手首捻り防止構造を有するゴルフグローブの他の実施例を示す部分断面図である。
【００１９】
図面にて示されたように、本発明に係る手首捻り防止構造を有するゴルフグローブ10(以下、単に「ゴルフグローブ10」という)は、スイングの際にゴルフボールを打撃することにより、その振動や衝撃がゴルフクラブを介してユーザの手に伝わることを和らげ、ゴルフクラブとの密着感を高めるためにユーザの手に着用されるゴルフグローブ10であって、かかるゴルフグローブ10は、グローブ本体20と、弾性支持バー30からなる。
【００２０】
グローブ本体20は、指が挿入される指挿入部21と、手の甲を覆うシート状の手の甲部221、及び掌を覆うシート状の掌部222を含むカバー本体22と、からなる。
【００２１】
指挿入部21、手の甲部221、及び掌部222は、ミシン縫いにより接合・固定しても良く、接着もしくは融着により固定しても良い。
【００２２】
指挿入部21及び掌部222は、合皮または本革からなる。
【００２３】
手の甲部221は、弾性により手の甲を押圧することで、スイングの際に手首が捻られることを防止できるように、弾性を持つ合成繊維シートからなる。
【００２４】
なお、手の甲部221は、シート状の合成弾性織物である弾性バンドからなっても良い。
【００２５】
カバー本体22には開口部231が設けられ、該開口部231より手の出し入れが行われる。
【００２６】
手の甲部221には、ベルクロ（登録商標）テープ付の固定ウィング24の端部をミシン縫いにより固定させ、また、好ましくは、手の甲部221に、上記ベルクロテープと接続できる固定ベルクロテープを付着しておくことにより、固定ウィング24が手の甲部221に着脱可能に設けられて良い。
【００２７】
弾性支持バー30は、矩形のパネル状であり、グローブ本体20の手の甲部221に設けられて固定される。弾性支持バー30は、弾性を持つ合成樹脂材からなる。
【００２８】
弾性支持バー30は、図面にて示されるように、その一端が開口部231の方に向くとともに、その他端が指挿入部21の方に向くように、手の甲部221の底面に設けられて、ミシン縫い又は融着により固定される。
【００２９】
また、好ましくは、手の甲部221の底面に、弾性支持バー30の引き込まれる引込溝が設けられる。
【００３０】
また、好ましくは、複数の弾性支持バー30は、弾性支持バー30同士で所定の間隔を置いて手の甲部221に配置されることにより、手の甲を支持する支持力が向上される。
【００３１】
また、カバー本体22には、ユーザの手首に嵌まるように、リング状の手首部40が更に設けられ、手首部40の一端に対し、カバー本体22に接続するようにミシン縫いをかけて固定させる。手首部40は、弾性を持つ合成繊維材(合成繊維シート)からなり、手首部40の底面には、弾性支持バー30の一部がミシン縫い又は接着により固定されている。
【００３２】
好ましくは、弾性支持バー30の内部に、弾性力及び支持力を高めるため、複数の支持コイルバネが所定の間隔を置いて挿入される。
【００３３】
また、好ましくは、弾性支持バー30の外面に、弾性を持つ合成樹脂材からなる複数の分岐バーの端部を、所定の間隔を置いて放射状に配置されるように融着して固定させることにより、手の甲が支持される。
【００３４】
なお、手の甲部221の内側面に、装着シート23の縁部が付着またはミシン縫いにより固定されることで、該装着シート23の一側には、弾性支持バー30の引き込まれる入口231が設けられる。そこで、ゴルフグローブ10を洗濯する際に、弾性支持バー30を分離でき、弾性支持バー30が破損した場合に、他の弾性支持バー30に取り替えることが可能である。
【００３５】
装着シート23は弾性を持つ合成繊維材からなり、弾性支持バー30が入口231よりかしめられることにより、弾性支持バー30は、装着シート23の弾性により固定される。
【００３６】
前述のように、ゴルフグローブ10の手の甲部221が、弾性を持つ合成繊維シートからなるとともに、弾性支持バー30が、手の甲部221及び手首部40に固定されることにより、ユーザの手の甲及び手首が手の甲部221及び弾性支持バー30の弾性に支持され、ゴルフのスイング時に、クラブを把持した手の甲が捻られることや、手首を挫くことが防止できる。
【００３７】
カバー本体22の一端には、手首を覆うように手首部40が更に設けられ、グローブ本体20には、スイングの際にユーザの手首及び手の甲を支持することにより手首が捻られることを防止するように、接続型弾性固定手段50が更に設けられる。
【００３８】
接続型弾性固定手段50は、手首部40の外面に設けられた固定溝51と、固定溝51につながるように手の甲部221の外面に設けられた連結溝52と、固定溝に嵌められ、ユーザの手首の下部を支持する金属材又は合成樹脂材からなる「U」字状に形成された曲線状の固定ユニット53と、連結溝52に嵌められ、一端が固定ユニット53に溶着又は接着にて固定される弾性を持つ合成樹脂材からなる弾性接続パネル54と、弾性接続パネル54の他端に融着又は接着にて固定され、連結溝52に嵌められることによりユーザの手の甲の一側の手刀部分(小指に続く部分)を支持する金属材又は合成樹脂材からなる手の甲支持パネル55と、固定ユニット53と弾性接続パネル54とを接続し、融着又は接着により固定され、所定の間隔を保つように形成された複数の弾性引張コイルバネ56と、固定ユニット53、弾性接続パネル54、及び手の甲支持パネル55の一面に接着・固定され、弾性を持つ合成樹脂材からなる弾性緩衝パネル57と、固定溝51及び連結溝52を覆うように付着され、固定ユニット53及び手の甲支持パネル55を固定させる固定カバー58と、を含む。
【００３９】
固定ユニット53及び手の甲支持パネル55により、ユーザの手の甲や手首を安定的に支持することが可能で、更に、弾性接続パネル54及び弾性引張コイルバネ56により、手首が捻られることや、手の甲が挫かれることを防止できることから、手首や手の甲の復元力を向上させることが可能である。
【００４０】
以上で説明した本発明の実施形態は、例示に過ぎず、本発明の属する技術分野における通常の知識を有する者には、該実施形態に多様な変更を加えて、均等な範囲での他の実施形態に至ることが可能である。即ち、本発明は、前述の発明の詳細な説明にて挙げられた形態に限らない。従って、本発明の技術的範囲は、添付の特許請求の範囲に示された技術的思想により定まるものであり、添付の特許請求の範囲により定まる技術的思想には、該特許請求の範囲に記載された本発明の要旨から逸脱することのない全ての変更や、均等物、代替物等が含まれる。
【００４１】
本願は2019年7月8日に出願した韓国特許出願第10-2019-0082200号に基づきその優先権を主張するものであり、同韓国出願の全内容を参照することにより本願に援用する。
【符号の説明】
【００４２】
10：ゴルフグローブ
20：グローブ本体
21：指挿入部
22：カバー本体
221：手の甲部
222：掌部
23：装着シート
231：入口
24：固定ウィング
30：弾性支持バー
40：手首部
50：接続型弾性固定手段
51：固定溝
52：連結溝
53：固定ユニット
54：弾性接続パネル
55：手の甲支持パネル
56：弾性引張コイルバネ
57：弾性緩衝パネル
58：固定カバー
【図１】
0006892701.tif 000002
【図２】
0006892701.tif 000003
【図３】
0006892701.tif 000004
【図４】
0006892701.tif 000005
【図５】
0006892701.tif 000006
【図６】
0006892701.tif 000007
【図７】
0006892701.tif 000008
【図８】
0006892701.tif 000009
【図９】
0006892701.tif 000010